【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
複数のプロジェクターの投射画像を組み合わせることで、プロジェクター調整用のＯＳＤ画像を含む画像を投射面に表示可能なマルチプロジェクションシステムであって、
前記複数のプロジェクターのいずれかである第１プロジェクターは、
前記複数のプロジェクターをまとめて調整する第１調整と、前記複数のプロジェクターを個別に調整する第２調整と、を択一に示す調整指示を受け取る受取部と、
前記調整指示に応じて、前記ＯＳＤ画像の態様を切り換える切換部と、
を含むことを特徴とするマルチプロジェクションシステム。
【請求項２】
前記ＯＳＤ画像は、プロジェクターの設定を調整するための調整用画像を含み、
前記切換部は、前記調整指示に応じて、前記ＯＳＤ画像における前記調整用画像の数を切り換える
ことを特徴とする請求項１に記載のマルチプロジェクションシステム。
【請求項３】
前記切換部は、前記調整指示が前記第１調整を示す場合、前記ＯＳＤ画像の態様を、前記調整用画像を１つ含む態様にし、前記調整指示が前記第２調整を示す場合、前記ＯＳＤ画像の態様を、前記複数のプロジェクターの中の２つ以上のプロジェクターの投射画像のそれぞれに１つの前記調整用画像が含まれる態様にする
ことを特徴とする請求項２に記載のマルチプロジェクションシステム。
【請求項４】
前記調整用画像を１つ含む態様は、１つの前記調整用画像が、前記複数のプロジェクターの中の２つ以上のプロジェクターの投射画像にまたがっている
ことを特徴とする請求項３に記載のマルチプロジェクションシステム。
【請求項５】
前記調整用画像を１つ含む態様は、１つの前記調整用画像が、前記複数のプロジェクターの中の１つのプロジェクターの投射画像に収まっている
ことを特徴とする請求項３に記載のマルチプロジェクションシステム。
【請求項６】
前記第１プロジェクターは、
前記ＯＳＤ画像を用いて設定された調整内容を受け付ける受付部と、
前記調整内容に基づいて前記第１プロジェクターの設定を調整する調整部と、
前記調整指示が前記第１調整を示す場合には、前記複数のプロジェクターのうち前記第１プロジェクターとは異なる第２プロジェクターに前記調整内容を提供する提供部と、
を含むことを特徴とする請求項１から５のいずれか１項に記載のマルチプロジェクションシステム。
【請求項７】
前記提供部は、前記調整指示が前記第２調整を示す場合には、前記第２プロジェクターに前記調整内容を提供しない
ことを特徴とする請求項６に記載のマルチプロジェクションシステム。
【請求項８】
複数のプロジェクターの投射画像を組み合わせることでプロジェクター調整用のＯＳＤ画像を含む画像を投射面に表示可能なマルチプロジェクションシステムに属することが可能なプロジェクターであって、
当該プロジェクターが前記マルチプロジェクションシステムに属する特定状況において、前記複数のプロジェクターをまとめて調整する第１調整と、前記複数のプロジェクターを個別に調整する第２調整と、を択一に示す調整指示を受け取る受取部と、
前記特定状況において、前記調整指示に応じて、前記ＯＳＤ画像の態様を切り換える切換部と、
を含むことを特徴とするプロジェクター。
【請求項９】
前記ＯＳＤ画像は、プロジェクターの設定を調整するための調整用画像を含み、
前記切換部は、前記調整指示に応じて、前記ＯＳＤ画像における前記調整用画像の数を切り換える
ことを特徴とする請求項８に記載のプロジェクター。
【請求項１０】
前記切換部は、前記調整指示が前記第１調整を示す場合、前記ＯＳＤ画像の態様を、前記調整用画像を１つ含む態様にし、前記調整指示が前記第２調整を示す場合、前記ＯＳＤ画像の態様を、前記複数のプロジェクターの中の２つ以上のプロジェクターの投射画像のそれぞれに１つの前記調整用画像が含まれる態様にする
ことを特徴とする請求項９に記載のプロジェクター。
【請求項１１】
前記調整用画像を１つ含む態様は、１つの前記調整用画像が、前記複数のプロジェクターの中の２つ以上のプロジェクターの投射画像にまたがっている
ことを特徴とする請求項１０に記載のプロジェクター。
【請求項１２】
前記調整用画像を１つ含む態様は、１つの前記調整用画像が、前記複数のプロジェクターの中の１つのプロジェクターの投射画像に収まっている
ことを特徴とする請求項１０に記載のプロジェクター。
【請求項１３】
前記ＯＳＤ画像を用いて設定された調整内容を受け付ける受付部と、
前記調整内容に基づいて当該プロジェクターの設定を調整する調整部と、
前記調整指示が前記第１調整を示す場合には、前記複数のプロジェクターのうち当該プロジェクターとは異なる他のプロジェクターに前記調整内容を提供する提供部と、
を含むことを特徴とする請求項８から１２のいずれか１項に記載のプロジェクター。
【請求項１４】
前記提供部は、前記調整指示が前記第２調整を示す場合には、前記他のプロジェクターに前記調整内容を提供しない
ことを特徴とする請求項１３に記載のプロジェクター。
【請求項１５】
複数のプロジェクターの投射画像を組み合わせることでプロジェクター調整用のＯＳＤ画像を含む画像を投射面に表示可能なマルチプロジェクションシステムに属することが可能なプロジェクターの制御方法であって、
当該プロジェクターが前記マルチプロジェクションシステムに属する特定状況において、前記複数のプロジェクターをまとめて調整する第１調整と、前記複数のプロジェクターを個別に調整する第２調整と、を択一に示す調整指示を受け取り、
前記特定状況において、前記調整指示に応じて、前記ＯＳＤ画像の態様を切り換える
ことを特徴とするプロジェクターの制御方法。
【手続補正２】
【補正対象書類名】明細書
【補正対象項目名】００９４
【補正方法】変更
【補正の内容】
【００９４】
次に、プロジェクター３００がプロジェクター２００から調整指示を受信した場合の設定調整動作を説明する。この場合のプロジェクター３００の動作は、プロジェクター２００が調整指示を受信したときの動作と、以下の点において異なるだけで他は同様である。
プロジェクター３００は、ステップＳ３３（図１４参照）において、プロジェクター２００から提供された調整内容に基づいてプロジェクター３００の設定を調整し、ステップＳ３４において、調整内容をプロジェクター４００に提供する。
【手続補正３】
【補正対象書類名】明細書
【補正対象項目名】０１０２
【補正方法】変更
【補正の内容】
【０１０２】
＜変形例２＞
上述した実施形態では、ＯＳＤ画像生成部１７１は、調整指示Ｉが個別調整である場合、プロジェクター１００〜４００の各々の部分画像（投射画像）に調整用画像Ｇ２１が表示されるように、ＯＳＤ画像の態様を設定した。
しかしながら、ＯＳＤ画像生成部１７１は、調整指示Ｉが個別調整である場合、ＯＳＤ画像の態様を、プロジェクター１００〜４００の中の２つ以上のプロジェクターの各々の部分画像（投射画像）に調整用画像Ｇ２１が含まれる態様にすればよい。
例えば、調整指示Ｉが個別調整である場合、投射画像１００ａおよび３００ａには調整用画像Ｇ２１が含まれるが、投射画像２００ａおよび４００ａには調整用画像Ｇ２１が含まれないように、ＯＳＤ画像生成部１７１は、ＯＳＤ画像の態様を設定してもよい。
この場合、受取部１２が、調整用画像Ｇ２１の含まれる投射画像を投射するプロジェクターを示すプロジェクター指定情報を受け付け、ＯＳＤ画像生成部１７１が、プロジェクター指定情報に示されたプロジェクターの投射画像に調整用画像Ｇ２１が含まれるように、ＯＳＤ画像の態様を設定してもよい。ここで、プロジェクター指定情報に示されたプロジェクターは、個別調整の対象となるプロジェクターであることが望ましい。